(57)【要約】【課題】隅角にデッドスペースを作ることなく、貯湯タンクをコンパクトに設置することができる電気温水器を提供すること。【解決手段】貯湯タンク１と、この貯湯タンク１に設けられた給水管２と、貯湯タンクの上部に設けられた給湯管３と、貯湯タンク１内に設けられたヒータ４、５とを備えた電気温水器において、貯湯タンク１を直方体状に形成するとともに、貯湯タンク１の周囲を、断熱材６を芯材とする板状の補強材７により枠状に取り囲むようにする。【選択図】  図２
2004293839.tif 000002
【特許請求の範囲】
【請求項１】
貯湯タンクと、該貯湯タンクの下部に設けられた給水管と、貯湯タンクの上部に設けられた給湯管と、貯湯タンク内の下部に設けられた下部ヒータと、貯湯タンク内の上部に設けられた上部ヒータとを備えた電気温水器において、前記貯湯タンクを直方体状に形成するとともに、該貯湯タンクの周囲を、断熱材を芯材とする板状の補強材により枠状に取り囲んだことを特徴とする電気温水器。
【請求項２】
前記補強材を、金属板と合成樹脂発泡体とを一体成形して形成したことを特徴とする請求項１記載の電気温水器。
【請求項３】
補強材の金属板が外側に、合成樹脂発泡体が内側になるように配設するようにしたことを特徴とする請求項２記載の電気温水器。
【請求項４】
貯湯タンクの水面上に空間部を設け、該空間部と外部を蒸気排出管により連通させたことを特徴とする請求項１、２又は３記載の電気温水器。
【発明の詳細な説明】
【０００１】
【発明の属する技術分野】
本発明は、電気温水器に関し、特に、隅角にデッドスペースを作ることなく、貯湯タンクをコンパクトに設置することができる電気温水器に関するものである。
【０００２】
【従来の技術】
従来、深夜電力を用いた電気温水器では、水道管から供給された水道水を電気温水器の貯湯タンク内にて加熱するとともに、この加熱した温水を、直接或いは別の水道管からの水道水と混合することにより設定温度に調節し、この温度調節した温水を配管を介して浴室の給湯口や蛇口に供給するように構成されている。
【０００３】
【発明が解決しようとする課題】
ところで、上記従来の電気温水器では、通常は数百リットルの貯湯タンクを必要とするため、貯湯タンクは、水圧に強い円筒形が採用されている。
しかしながら、この円筒形の貯湯タンクは、その形状から設置場所の隅角にデッドスペースを作り、結果的に広いスペースを占拠するという問題を有している。
【０００４】
本発明は、上記従来の電気温水器が有する問題点に鑑み、隅角にデッドスペースを作ることなく、貯湯タンクをコンパクトに設置することができる電気温水器を提供することを目的とする。
【０００５】
【課題を解決するための手段】
上記目的を達成するため、本発明の電気温水器は、貯湯タンクと、該貯湯タンクの下部に設けられた給水管と、貯湯タンクの上部に設けられた給湯管と、貯湯タンク内の下部に設けられた下部ヒータと、貯湯タンク内の上部に設けられた上部ヒータとを備えた電気温水器において、前記貯湯タンクを直方体状に形成するとともに、該貯湯タンクの周囲を、断熱材を芯材とする板状の補強材により枠状に取り囲んだことを特徴とする。
【０００６】
この電気温水器は、貯湯タンクを直方体状に形成するとともに、該貯湯タンクの周囲を、断熱材を芯材とする板状の補強材により枠状に取り囲むことから、貯湯タンクを水圧に耐える強度を保持しながら設置性に優れた直方体形状に形成することができ、これにより、隅角にデッドスペースを作ることなく、貯湯タンクをコンパクトに設置することができる。
【０００７】
この場合において、前記補強材を、金属板と合成樹脂発泡体とを一体成形して形成することができ、特に、補強材の金属板が外側に、合成樹脂発泡体が内側になるように配設することができる。
【０００８】
これにより、補強材を強くコンパクトに形成することができ、補強材の金属板が外側に、合成樹脂発泡体が内側になるように配設することにより、断熱性能を一層向上することができる。
【０００９】
また、貯湯タンクの水面上に空間部を設け、該空間部と外部を蒸気排出管により連通させることができる。
【００１０】
これにより、貯湯タンクを大気開放型として圧力負荷を下げ、貯湯タンクが必要とされる耐圧性能を小さくすることができるとともに、従来は圧力負荷時に膨張水として排出していた温水の排出量を少なくし、低コスト化を図ることができる。
【００１１】
【発明の実施の形態】
以下、本発明の電気温水器の実施の形態を図面に基づいて説明する。
【００１２】
図１〜図３に、本発明の電気温水器の１実施例を示す。
この電気温水器は、所要の容量を有するステンレススチール製の貯湯タンク１と、該貯湯タンク１の下部に設けられた給水管２と、貯湯タンク１の上部に設けられた給湯管３と、貯湯タンク１内の下部に設けられた下部ヒータ４と、貯湯タンク１内の上部に設けられた上部ヒータ５とを備えている。
そして、この電気温水器は、図２に示すように、貯湯タンク１を直方体状に形成するとともに、該貯湯タンク１の側板１ａの周囲を、断熱材６を芯材とする板状の補強材７により枠状に取り囲んでいる。
なお、この電気温水器は、貯湯タンク上部の温水をポンプ８によって給湯側に圧送するとともに、追い焚き配管９と熱交換する熱交換器１０を備え、風呂の追い焚きを可能としている。
【００１３】
補強材７は、例えば、図３に示すように、鉄等の金属板７１と断熱材６としての合成樹脂発泡体７２とを一体成形することにより、補強材７を強くコンパクトに形成している。金属板７１は、縁部を除いて１面をほぼ解放した箱状に形成されており、その内部に合成樹脂発泡体７２が充填されている。
合成樹脂発泡体７２は、硬質の発泡ポリスチレン等により強度（剛性）を有するように形成されており、内部に鉄等の金属製のアングル材７３が筋材として幅方向又は縦方向に埋設されている。アングル材７３は外側の金属板７１に溶接されている。
そして、本実施例では、図２に示すように、４枚の補強材７をボルト等により枠状に接合することにより、貯湯タンク１を四周から補強している。
【００１４】
また、この電気温水器では、図４に示すように、貯湯タンク１の水面上に空間部１１が設けられており、該空間部１１と外部とが蒸気排出管１２により連通されている。
貯湯タンク１の水面上の空間は、所定高さまで上がった水位を水位センサー１３等で検知し、給水を止めることにより確保することができる。
これにより、貯湯タンク１を大気開放型として圧力負荷を下げ、貯湯タンク１が必要とされる耐圧性能を小さくすることができるとともに、従来は圧力負荷時に膨張水として排出していた温水の排出量を少なくし、低コスト化を図ることができる。
なお、蒸気排出管１２を図４に示す変形実施例のように、トラップ状に形成することにより、蒸気排出管１２からの塵や虫等の侵入を防止することができる。
【００１５】
かくして、本実施例の電気温水器は、貯湯タンク１を直方体状に形成するとともに、該貯湯タンク１の周囲を、断熱材６を芯材とする板状の補強材７により枠状に取り囲むことから、貯湯タンク１を水圧に耐える強度を保持しながら設置性に優れた直方体形状に形成することができ、これにより、隅角にデッドスペースを作ることなく、貯湯タンク１をコンパクトに設置することができる。
【００１６】
以上、本発明の電気温水器について、その実施例に基づいて説明したが、本発明は上記実施例に記載した構成に限定されるものではなく、その趣旨を逸脱しない範囲において適宜その構成を変更することができる。
【００１７】
【発明の効果】
本発明の電気温水器によれば、貯湯タンクを直方体状に形成するとともに、該貯湯タンクの周囲を、断熱材を芯材とする板状の補強材により枠状に取り囲むことから、貯湯タンクを水圧に耐える強度を保持しながら設置性に優れた直方体形状に形成することができ、これにより、隅角にデッドスペースを作ることなく、貯湯タンクをコンパクトに設置することができる。
【００１８】
また、前記補強材を、金属板と合成樹脂発泡体とを一体成形して形成することにより、補強材を強くコンパクトに形成することができ、特に、補強材の金属板が外側に、合成樹脂発泡体が内側になるように配設することにより、断熱性能を一層向上することができる。
【００１９】
また、貯湯タンクの水面上に空間部を設け、該空間部と外部を蒸気排出管により連通させることにより、貯湯タンクを大気開放型として圧力負荷を下げ、貯湯タンクが必要とされる耐圧性能を小さくすることができるとともに、従来は圧力負荷時に膨張水として排出していた温水の排出量を少なくし、低コスト化を図ることができる。
【図面の簡単な説明】
【図１】本発明の電気温水器の１実施例を示す回路図である。
【図２】同実施例の貯湯タンクを示し、（ａ）は断面平面図、（ｂ）は断面正面図、（ｃ）は断面側面図である。
【図３】同実施例の補強材を示し、（ａ）は斜視透視図、（ｂ）は貯湯タンクに取り付けた状態を示す断面図である。
【図４】本発明の電気温水器の変形実施例を示す説明図である。
【符号の説明】
１    貯湯タンク
２    給水管
３    給湯管
４    下部ヒータ
５    上部ヒータ
６    断熱材
７    補強材
７１  金属板
７２  合成樹脂発泡体
７３  アングル材
８    ポンプ
９    追い焚き配管
１０  熱交換器
１１  空間部
１２  蒸気排出管
１３  水位センサー
【図１】
2004293839.tif 000003
【図２】
2004293839.tif 000004
【図３】
2004293839.tif 000005
【図４】
2004293839.tif 000006